(57)【特許請求の範囲】
【請求項１】
マルチ・セルの能力がある無線送受信ユニット（ＷＴＲＵ）における無線通信のための方法であって、
前記ＷＴＲＵがアンカーサービングセルおよび二次サービングセルから同時に異なるデータを受信するように構成されている場合において、前記二次サービングセルの状態を判定することであって、前記アンカーサービングセルおよび前記二次サービングセルはそれぞれ、ハイブリッド自動再生要求（ＨＡＲＱ）バッファを有するそれぞれのＨＡＲＱエンティティと関連付けられている、ことと、
前記二次サービングセルの状態が無効であると判定されることを条件に、前記二次サービングセルに関連付けられた前記ＨＡＲＱエンティティの前記ＨＡＲＱバッファをフラッシュすることと
を備えることを特徴とする方法。
【請求項２】
二次セル状態変数を含む無線リソース制御（ＲＲＣ）メッセージを受信することであって、前記二次セル状態変数は、前記二次サービングセルが有効であるかを示す、ことをさらに備えることを特徴とする請求項１に記載の方法。
【請求項３】
前記状態を判定することは、前記二次セル状態変数に基づくことを特徴とする請求項２に記載の方法。
【請求項４】
前記二次サービングセルに関連付けられたＨＡＲＱリソースを解放することをさらに備えることを特徴とする請求項１に記載の方法。
【請求項５】
高速下りリンク共有チャネル（ＨＳ−ＤＳＣＨ）無線ネットワークトランザクション識別子（Ｈ−ＲＮＴＩ）をクリアすることをさらに備えることを特徴とする請求項１に記載の方法。
【請求項６】
レイヤー１（Ｌ１）シグナリングを含む信号を受信することであって、前記Ｌｌシグナリングは、ＨＳ−ＤＳＣＨキャリアをアクティブ化／非アクティブ化するための指示を含む、ことをさらに備えることを特徴とする請求項１に記載の方法。
【請求項７】
前記Ｌｌシグナリングは、ＨＳ−ＳＣＣＨ（High Speed Shared Control Channel）命令であることを特徴とする請求項６に記載の方法。
【請求項８】
前記状態を判定することは、前記Ｌｌシグナリングに基づくことを特徴とする請求項６に記載の方法。
【請求項９】
前記Ｌ１シグナリングは、前記二次サービングセルが非アクティブであることを示すことを特徴とする請求項８に記載の方法。
【請求項１０】
マルチ・セルの無線通信の能力があるＷＴＲＵであって、
アンカーサービングセルおよび二次サービングセルから同時に異なるデータを受信するように構成された少なくとも１つの受信ユニットであって、前記アンカーサービングセルおよび前記二次サービングセルはそれぞれ、ハイブリッド自動再生要求（ＨＡＲＱ）バッファを有するそれぞれのＨＡＲＱエンティティと関連付けられている、受信ユニットと、
前記ＷＴＲＵが前記アンカーサービングセルおよび前記二次サービングセルから同時に前記異なるデータを受信するように構成されている場合において、前記二次サービングセルの状態を判定するように構成される処理装置と、を備え、
前記処理装置は、前記二次サービングセルの状態が無効であると判定されることを条件に、前記二次サービングセルに関連付けられた前記ＨＡＲＱエンティティの前記ＨＡＲＱバッファをフラッシュするように構成されること
を特徴とするＷＴＲＵ。
【請求項１１】
前記少なくとも１つの受信ユニットは、二次セル状態変数を含む無線リソース制御（ＲＲＣ）メッセージを受信するようにさらに構成される受信ユニットであって、前記二次セル状態変数は、前記二次サービングセルが有効であるかを示す受信ユニットをさらに備えたことを特徴とする請求項１０に記載のＷＴＲＵ。
【請求項１２】
前記処理装置は、前記二次セル状態変数を使用して、前記二次サービングセルの状態を判定するようにさらに構成されたことを特徴とする請求項１１に記載のＷＴＲＵ。
【請求項１３】
前記二次サービングセルが無効であるとの前記判定に応答して前記二次サービングセルに関連付けられたＨＡＲＱリソースを解放するように構成されるＨＡＲＱエンティティをさらに備えたことを特徴とする請求項１０に記載のＷＴＲＵ。
【請求項１４】
前記処理装置は、高速下りリンク共有チャネル（ＨＳ−ＤＳＣＨ）無線ネットワークトランザクション識別子（Ｈ−ＲＮＴＩ）をクリアするようにさらに構成されることを特徴とする請求項１３に記載のＷＴＲＵ。
【請求項１５】
前記少なくとも１つの受信ユニットは、レイヤー１（Ｌ１）シグナリングを含む信号を受信するようにさらに構成され、前記Ｌ１シグナリングは、ＨＳ−ＤＳＣＨキャリアをアクティブ化／非アクティブ化するための指示を含むことを特徴とする請求項１０に記載のＷＴＲＵ。
【請求項１６】
前記Ｌ１シグナリングは、ＨＳ−ＳＣＣＨ（High Speed Shared Control Channel）命令であることを特徴とする請求項１５に記載のＷＴＲＵ。
【請求項１７】
前記処理装置は、前記Ｌｌシグナリングを使用して前記二次サービングセルの状態を判定するようにさらに構成されることを特徴とする請求項１５に記載のＷＴＲＵ。
【請求項１８】
前記二次セル状態変数は、前記変数が「ＴＲＵＥ」に設定されている時は前記二次サービングセルが有効であることを示し、前記変数が「ＦＡＬＳＥ」に設定されている時は前記二次サービングセルが無効であることを示すＳＥＣＯＮＤＡＲＹ＿ＣＥＬＬ＿ＨＳ＿ＤＳＣＨ＿ＲＥＣＥＰＴＩＯＮ変数であることを特徴とする請求項１２に記載のＷＴＲＵ。
【請求項１９】
前記少なくとも１つの受信ユニットは、前記二次サービングセルが無効であると判定された後に、前記アンカーサービングセルから前記データを受信することを継続するようにさらに構成されたことを特徴とする請求項１０に記載のＷＴＲＵ。
【請求項２０】
前記少なくとも１つの受信ユニットは、高速下りリンク共有チャネル（ＨＳ−ＤＳＣＨ）キャリアを介して前記アンカーサービングセルおよび前記二次サービングセルから前記データを受信するようにさらに構成されたことを特徴とする請求項１０に記載のＷＴＲＵ。
【請求項２１】
前記二次セル状態変数は、前記変数が「ＴＲＵＥ」に設定されている時は前記二次サービングセルが有効であることを示し、前記変数が「ＦＡＬＳＥ」に設定されている時は前記二次サービングセルが無効であることを示すＳＥＣＯＮＤＡＲＹ＿ＣＥＬＬ＿ＨＳ＿ＤＳＣＨ＿ＲＥＣＥＰＴＩＯＮ変数であることを特徴とする請求項３に記載の方法。
【請求項２２】
前記二次サービングセルが無効であると判定された後に、前記アンカーサービングセルから前記データを受信することを継続することをさらに備えることを特徴とする請求項１に記載の方法。
【請求項２３】
前記データは、高速下りリンク共有チャネル（ＨＳ−ＤＳＣＨ）キャリアを介して前記アンカーサービングセルおよび前記二次サービングセルから受信されることを特徴とする請求項１に記載の方法。
【発明の詳細な説明】
【技術分野】
【０００１】
この出願は無線通信に関する。
【背景技術】
【０００２】
本出願は、２００８年１１月１０日に出願された、米国仮出願番号第６１／１１３，１４９号に基づく優先権を主張し、この番号を参照することにより、そのすべての開示内容を本明細書の一部とする。
【０００３】
無線通信システムは、データ・ネットワークへの連続的なそしてより高速なアクセスを提供する必要性を満たすために発展している。これらの必要性を満たすために、無線通信システムはデータの送信のために複数のキャリアを使用することができる。データの送信のために複数のキャリアを使用する無線通信システムは、マルチ・キャリア・システムと呼ぶことができる。複数のキャリアの使用は、セル方式のおよび非セル方式の両方の無線システムにおいて拡大している。
【０００４】
マルチ・キャリア・システムは、無線通信システムにおいて利用可能な帯域幅を、どれだけのキャリアが利用可能となるかの倍数にしたがって、増加させることができる。例えば、２キャリア・システムは、単一のキャリア・システムに比較して、帯域幅を２倍にすることができ、３キャリア・システムは、単一のキャリア・システムに比較して、帯域幅を３倍にすることができる、等である。
【０００５】
このスループットの利得に加えて、ダイバーシティおよびジョイント（joint）・スケジューリングの利得も期待することができる。このことにより、エンド・ユーザーに対するＱｏＳ（サービス品質）の改良をもたらすことができる。さらに複数のキャリアの使用は、ＭＩＭＯ（Multiple-Input Multiple-Output）と組み合わせて使用することができる。
【０００６】
例として、３ＧＰＰ（第３世代パートナーシッププロジェクト）システムの環境においては、３ＧＰＰ仕様のリリース８においてＤＣ−ＨＳＤＰＡ（Dual Cell High Speed Downlink Packet Access）と呼ばれる新機能を導入している。ＤＣ−ＨＳＤＰＡにより、基地局（通信ネットワークの他の変形または種別においては、ノードＢ、アクセス・ポイント、サイト制御装置などと呼ばれる場合もある）は、１つのＷＴＲＵ（Wireless Transmit/Receive Unit：無線送受信ユニット）に対して、同時に２つの下りリンクのキャリアを通して通信する。これは、ＷＴＲＵにとって利用可能な帯域幅および最高データ速度を２倍にするだけでなく、２つのキャリアを通しての高速のスケジューリングおよび高速のチャネル・フィードバックによってネットワーク効率を増加させる可能性も有する。
【０００７】
ＤＣ−ＨＳＤＰＡ動作に対して、各ＷＴＲＵには２つの下りリンク・キャリアが割り当てられる：すなわちアンカー・キャリアおよび補助（supplementary）キャリアである。アンカー・キャリアは、例えばＨＳ−ＤＳＣＨ（High Speed Downlink Shared Channel）、Ｅ−ＤＣＨ（Enhanced Dedicated Channel）、およびＤＣＨ（Dedicated Channel）オペレーションの、トランスポート・チャネルに関連付けられたすべての物理レイヤーの専用および共通の制御チャネルを伝達する。そのような物理レイヤーのチャネルには、例えばＦ−ＤＰＣＨ（Fractional Dedicated Physical Channel）、Ｅ−ＨＩＣＨ（E-DCH HARQ Indicator Channel）、Ｅ−ＲＧＣＨ（E-DCH Relative Grant Channel）、Ｅ−ＡＧＣＨ（E-DCH Absolute Grant Channel）、ＣＰＩＣＨ（Common Pilot Channel）、ＨＳ-ＳＣＣＨ（High Speed Shared Control Channel）、およびＨＳ−ＰＤＳＣＨ（High Speed Physical Downlink Shared Channel）、ならびに同様のものが含まれる。補助キャリアは、ＷＴＲＵに対してＣＰＩＣＨ、ＨＳ−ＳＣＣＨ、およびＨＳ−ＰＤＳＣＨを伝達することができる。現在のシステムにおいては、上りリンク送信は単一のキャリア上のままである。ＨＳ−ＤＰＣＣＨ（High Speed Dedicated Physical Control Channel）フィードバック情報は、上りリンク・キャリア上にてノードＢに提供され、そして各下りリンク・キャリアに対する情報を含む。
【０００８】
図１において、ＤＣ−ＨＳＤＰＡを実施する能力のあるＷＴＲＵのＭＡＣ（Medium Access Control）−ｅｈｓアーキテクチャが示される。図１に示されるように、ＭＡＣ−ｅｈｓは２つのＨＡＲＱエンティティを備える。ＤＣ−ＨＳＤＰＡにおいては、別のＨＡＲＱエンティティをそれぞれのセルに割り当てることができる。したがって、分解および再順序化が、両方のセルに対して一緒に実行される。さらに、それぞれに対して別のＨ−ＲＮＴＩ（HS-DSCH Radio Network Transaction Identifier）を与えることができる。
【０００９】
無線リソースを最適化することを意図していないため、図１において示されたＤＣ−ＨＳＤＰＡに対するＭＡＣ−ｅｈｓアーキテクチャは、ＷＴＲＵの仕様および実施方法を簡素化している。このアーキテクチャによると、２つのセルはほとんど２つの別個の従来のＨＳ−ＤＳＣＨセルとして動作する。
【００１０】
ＤＣ−ＨＳＤＰＡをサポートするＷＴＲＵに対して省電力オプションを提供するために、補助キャリアを一時的に無効にすることを可能とすることができる。そのようなアクティブ化および非アクティブ化は、ＨＳ−ＳＣＣＨ命令の形式にてレイヤー１（Ｌ１）メッセージを使用してノードＢにより信号を送られることが可能である。この高速なメカニズムは、この機能を独自にサポートしている各ＷＴＲＵに対してノードＢが補助キャリアを有効または無効にすることを可能とする。
【００１１】
ＤＣ−ＨＳＤＰＡの導入は、しかしながら、適切かつ予測できるＷＴＲＵの動きを確実にするために解決される必要がある複数の問題を引き起こす。従来のＷＴＲＵにおいては、ＭＡＣエンティティあたり単一のＨＡＲＱエンティティしかなく、そして単一のサービング（serving）ＨＳ−ＤＳＣＨセルしかない場合がある。したがってＷＴＲＵがハンドオーバーまたはチャネル再構成を実行するとき、新たに開始するためにそれはＭＡＣ−ｅｈｓを単純に完全にリセットしてしまう場合がある。しかしながら、ＤＣ−ＨＳＤＰＡについては、ＭＡＣ−ｅｈｓは２つのＨＡＲＱエンティティを備え、それらはある環境においては別々に扱う必要がある場合がある。事実として、二次ＨＳ−ＤＳＣＨサービングセルが無効であるときに、サービングＨＳ−ＤＳＣＨセルがまだそれを使用している場合があるため、ＭＡＣ−ｅｈｓ全体をリセットすることは適切でない場合がある。
【００１２】
図２は、二次サービングＨＳ−ＤＳＣＨセルを無効にするためのＷＴＲＵプロシージャを示す。しかしながら、このプロシージャは、第２のＨＡＲＱエンティティを無効にすることを適切に取り扱うためのすべての必要なステップを提供することができるわけではなく、Ｈ−ＲＮＴＩ変数に関連する必要な動作をもらす場合がある。
【００１３】
ＤＣ＿ＨＳＰＡにおいて二次セルを非アクティブ化するとき、追加的問題が発生する場合がある。ＨＳ−ＳＣＣＨ命令を使用して、二次サービングＨＳ−ＤＳＣＨセルを非アクティブ化しそして再アクティブ化するときに、予測可能な動きを確実にするために二次サービングＨＳ−ＤＳＣＨセルに関連付けられたＨＡＲＱエンティティをフラッシュ（flush）することが望まれる。
【００１４】
データインジケーター（例えば、新規データインジケーター）は、ＰＤＵ（Packet Data Unit）がそのＨＡＲＱ処理中に送信されていることを示すために、ＨＳ−ＳＣＣＨタイプ１の一部として送信される、１ビット信号とすることができる。このことにより、ＷＴＲＵがＨＡＲＱメモリのその部分を上書きすることを可能にできる。現在は、ネットワーク側のＨＡＲＱ処理が、送信されるＭＡＣ−ｈｓ  ＰＤＵにデータインジケーターを設定する。これが実行されるとき、ＵＴＲＡＮは、ＨＡＲＱ処理により送信された第１のＭＡＣ−ｈｓ  ＰＤＵに対して、データインジケーターを値「０」に設定する。データインジケーターは、ＭＡＣ−ｈｓ  ＰＤＵの再送信に対してインクリメントされない場合がある。データインジケーターは、新規データを含む送信された各ＭＡＣ−ｈｓ  ＰＤＵに対して１ずつインクリメントされうる。
【００１５】
したがって、新規ＰＤＵが送信されたときに、データインジケーターを切り換えることができる。現在の仕様においては、二次ＨＳ−ＤＳＣＨサービングセルの再アクティブ化に際して、ＨＳ−ＳＣＣＨ命令を介して、ＵＴＲＡＮがデータインジケーターをリセットするか否かが不明確である。したがって、二次サービングＨＳ−ＤＳＣＨセルに関連付けられたＨＡＲＱエンティティをフラッシュすることに加えて、データインジケーターに関して期待される動きを指定することも望まれる場合がある。
【００１６】
したがって、補助セルのアクティブ化および非アクティブ化を取り扱うための改良された方法および装置に対する必要性が存在する。
【発明の概要】
【００１７】
二次サービングセルの状態を判定するマルチ・セル無線通信のための方法および装置が開示される。二次サービングセルが無効であるという条件にて、二次サービングセルに関連付けられたＨＡＲＱ（Hybrid Repeat Request）処理が公開される。
【図面の簡単な説明】
【００１８】
添付図面に関連して例として与えられる以下の説明から、より詳細な理解を得ることができる。
【図１】ＷＴＲＵ側のＭＡＣアーキテクチャ（ＭＡＣ−ｅｈｓ）を示す図である。
【図２】二次サービングＨＳ−ＤＳＣＨセルを無効にするためのＷＴＲＵプロシージャを示す図である。
【図３】上りリンク送信が単一のキャリアにより取り扱われ、下りリンク送信が複数のキャリアを使用して取り扱われる無線通信システムの一例を示す図である。
【図４】上りリンク送信が複数のキャリアを使用して取り扱われ、下りリンク送信が複数のキャリアを使用して取り扱われる実施形態の一例による無線通信システムの一例を示す図である。
【図５】図４の無線通信システムのＷＴＲＵの一例およびノードＢの一例の機能的ブロック図である。
【図６】開示された方法の一例を示すフロー図である。
【発明を実施するための形態】
【００１９】
以下言及するとき、用語「ＷＴＲＵ」は、限定的ではなく、ユーザー機器（UE）、移動局、固定型または移動体の加入者ユニット、ページャー、携帯電話、ＰＤＡ（Personal Digital Assistant）、コンピューター、Ｍ２Ｍ（Machine to Machine）デバイス、センサー、または無線環境において動作する能力のある他のいかなる種別のデバイスも含む。以下言及するとき、用語「基地局」は、限定的ではなく、ノードＢ、サイト制御装置、アクセス・ポイント（AP）、または無線環境において動作する能力のある他のいかなる種別のインターフェイス・デバイスも含む。
【００２０】
ネットワークは、アンカー下りリンク・キャリアおよびアンカー上りリンク・キャリアとして、それぞれ、少なくとも１つの下りリンクおよび／または少なくとも１つの上りリンク・キャリアを割り当てることができる。マルチ・キャリアのオペレーションにおいて、２または３以上のキャリア−周波数とも呼ばれる−により動作するようにＷＴＲＵを構成することができる。これらのキャリアのそれぞれは、別個の特性ならびにネットワークおよびＷＴＲＵとの論理的な関連を有することができる。動作する周波数をグループ化し、アンカーまたは一次キャリア、および補助または二次キャリア、と呼ぶことができる。以下に、用語「アンカー・キャリア」および「一次キャリア」、ならびに「補助キャリア」および「二次キャリア」はそれぞれ互換性を持って使用されることになる。
【００２１】
２つより多いキャリアが構成されるなら、ＷＴＲＵは、１つより多い一次キャリアおよび／または１つより多い二次キャリア（複数可）を備えることができる。本明細書において説明される実施形態は、これらのシナリオにも適用可能および拡張可能である。例えば、アンカー・キャリアは、下りリンク／上りリンク送信のための特定の制御情報のセットを伝達するためのキャリアとして定義されうる。アンカー・キャリアとして割り当てられないキャリアはいずれも、補助キャリアとなることができる。あるいはまた、ネットワークがアンカー・キャリアを割り当てない場合があり、下りリンクまたは上りリンク・キャリアに対して優先度、選択、またはデフォルト状態が与えられない場合がある。以下、用語「アンカー・キャリア」、「一次キャリア」、「上りリンク・キャリア１」、「第１のキャリア」、および「第１の上りリンク・キャリア」は、本明細書において便宜的に互換性を持って使用される。同様に用語「補助キャリア」、「二次キャリア」、「上りリンク・キャリア２」、「第２のキャリア」、および「第２の上りリンク・キャリア」も、本明細書において互換性を持って使用される。マルチ・キャリアのオペレーションに対しては、複数の補助キャリアまたは二次キャリアが存在することができる。
【００２２】
図３は、単一のキャリア１６０が上りリンク送信を取り扱うことができ、複数のキャリア１７０を使用して下りリンク送信を取り扱うことができる無線通信システムの一例１００を示す。無線通信システム１００は、複数のＷＴＲＵ１１０、ノードＢ１２０、ＣＲＮＣ（Controlling Radio Network Controller）１３０、ＳＲＮＣ（Serving Radio Network Controller）１４０、およびコア・ネットワーク１５０を含む。ノードＢ１２０およびＣＲＮＣ１３０をまとめてＵＴＲＡＮと呼ぶことができる。
【００２３】
図３に示されるように、ＷＴＲＵ１１０はノードＢ１２０と通信状態にあり、ノードＢ１２０はＣＲＮＣ１３０およびＳＲＮＣ１４０と通信状態にある。３つのＷＴＲＵ１１０、１つのノードＢ１２０、１つのＣＲＮＣ１３０、および１つのＳＲＮＣ１４０が図３に示されるが、無線通信システム１００においては無線および有線のデバイスのいずれの組み合わせも含むことができることが注意されるべきである。
【００２４】
図４は、複数のキャリア２６０を使用して上りリンク送信を取り扱い、複数のキャリア２７０を使用して下りリンク送信を取り扱う一例による無線通信システムの一例２００を示す。無線通信システム２００は、複数のＷＴＲＵ２１０、ノードＢ２２０、ＣＲＮＣ２３０、ＳＲＮＣ２４０、およびコア・ネットワーク２５０を含む。ノードＢ２２０およびＣＲＮＣ２３０をまとめてＵＴＲＡＮと呼ぶことができる。
【００２５】
図４に示されるように、ＷＴＲＵ２１０はノードＢ２２０と通信状態にあり、ノードＢ２２０はＣＲＮＣ２３０およびＳＲＮＣ２４０と通信状態にある。３つのＷＴＲＵ２１０、１つのノードＢ２２０、１つのＣＲＮＣ２３０、および１つのＳＲＮＣ２４０が図４に示されるが、無線通信システム２００においては無線および有線のデバイスのいずれの組み合わせも含むことができることが注意されるべきである。
【００２６】
図５は、図４の無線通信システム２００のＷＴＲＵ４１０およびノードＢ４２０の機能的ブロック図である。図５に示されるように、ＷＴＲＵ４１０はノードＢ４２０と通信状態にある。両方は、ＷＴＲＵ４１０からの上りリンク送信がノードＢ４２０へ複数の上りリンク・キャリア４６０を使用して送信される方法を実行するように構成される。ＷＴＲＵ４１０には、処理装置４１５、受信機４１６、送信機４１７、メモリ４１８、アンテナ４１９、および典型的なＷＴＲＵにおいて見出すことができる他の構成要素（図示せず）が含まれる。アンテナ４１９は複数のアンテナ要素を含むことができ、またはＷＴＲＵ４１０が複数のアンテナを含むことができる。メモリ４１８は、オペレーティング・システム、アプリケーションなどを含むソフトウェアを格納するために提供される。処理装置４１５は、単独にて、またはソフトウェアおよび／または１または２以上のいずれかの構成要素と関連して、複数の上りリンク・キャリアにより上りリンク送信を実行する方法を実行するために提供される。受信機４１６および送信機４１７は、処理装置４１５と通信状態にある。受信機４１６および送信機４１７は、同時に１または２以上のキャリアを送受信する能力がある。あるいはまた、ＷＴＲＵ４１０において複数の受信機および／または複数の送信機を含むことができる。アンテナ４１９は、受信機４１６および送信機４１７の両方と通信状態にあり、無線データの送受信を容易にする。
【００２７】
ノードＢ４２０には、処理装置４２５、受信機４２６、送信機４２７、メモリ４２８、アンテナ４２９、および典型的な基地局において見出すことができる他の構成要素（図示せず）が含まれる。アンテナ４２９は複数のアンテナ要素を含むことができ、またはノードＢ４２０が複数のアンテナを含むことができる。メモリ４２８は、オペレーティング・システム、アプリケーションなどを含むソフトウェアを格納するために提供される。処理装置４２５は、単独にて、またはソフトウェアおよび／または１または２以上のいずれかの構成要素と関連して、以下に開示される方法により、複数の上りリンク・キャリアを使用して、ＷＴＲＵ４１０からの上りリンク送信がノードＢ４２０へ送信される方法を実行するために提供される。受信機４２６および送信機４２７は、処理装置４２５と通信状態にある。受信機４２６および送信機４２７は、同時に１または２以上のキャリアを送受信する能力がある。あるいはまた、ノードＢ４２０において複数の受信機および／または複数の送信機を含むことができる。アンテナ４２９は受信機４２６および送信機４２７の両方と通信状態にあり、無線データの送受信を容易にする。
【００２８】
本明細書において説明される方法は、マルチ・キャリアの上りリンク送信を実施し、複数の上りリンク・キャリア上での電力制御を実行し、および複数の異なった上りリンク・キャリアの間で電力およびデータを割り当てるためのいくつかのアプローチを提供する。本明細書において説明される方法は、デュアル上りリンク・キャリアのシナリオに関して説明されるが、本明細書において説明される方法はいずれかの数の上りリンク・キャリアが実施されるシナリオにも適用可能であることが理解されるべきであることに注意されたい。
【００２９】
また本明細書において説明される方法は、３ＧＰＰリリース４〜７に関連付けられたチャネルに関して説明されるが、この方法は、ＬＴＥリリース８などの３ＧＰＰのさらなるリリース（および、そこで使用されるチャネル）、ならびにいかなる他の種別の無線通信システム、およびそこで使用されるチャネルにも、適用可能であることに注意されるべきである。本明細書において説明される方法は、いずれの順序、またはいずれの組み合わせにても適用可能であることも注意されるべきである。
【００３０】
図３において示されたようなマルチ・キャリア・システムにおいて、ＷＴＲＵ１１０は、複数のＨＡＲＱエンティティを備えるＭＡＣエンティティ（例えばＭＡＣ−ｅｈｓ）を含むことが可能で、各ＨＡＲＱエンティティは別のキャリアに関連付けられることが可能である。アンカー・キャリアおよび二次キャリアは、ＷＴＲＵの条件および／またはネットワークのシグナリングに基づき、アクティブ化および非アクティブ化されうる。例えば、二次セルは無効であるが他のセルが動作可能な状態にあるときには、ＭＡＣエンティティの全体のリセットを回避することが望まれる場合がある。したがって、予め定められたＨＡＲＱ処理エンティティをリセットするために、ネットワーク２００からのシグナリングを利用するように、ＷＴＲＵ４１０を構成することができる。このシグナリングは、例えば、レイヤー３（L３）のメッセージ、例えば二次サービングＨＳ−ＤＳＣＨセルが無効であることを示す、ネットワークから受信されるＲＲＣ（Radio Resource Control）メッセージとすることができる。
【００３１】
各サービングセルの状態は、アンカーおよび二次キャリアを介してシグナリングを受信することの可用性を示す状態変数を割り当てられうる。トリガーのメカニズムは、予め定められるか、または信号を送られて、変数の評価をトリガーすることができる。この構成においては、変数の値「FALSE」は、キャリア上では受信が有効でないことを示すことができる。値「TRUE」は、それぞれのキャリア上での受信が有効であることを意味することができる。
【００３２】
例えば、ＤＣ−ＨＳＤＰＡにおいて、二次サービングＨＳ−ＤＳＣＨセル受信の状態は、二次セル状態変数、例えばＳＥＣＯＮＤＡＲＹ＿ＣＥＬＬ＿ＨＳ＿ＤＳＣＨ＿ＲＥＣＥＰＴＩＯＮ、を使用して判定することができる。二次セル状態変数がTRUEであるとき、二次サービングＨＳ−ＤＳＣＨセルは、有効であり、およびＨＳ−ＤＳＣＨ受信に使用される準備ができた状態である。逆に、変数がFALSEであるとき、二次サービングＨＳ−ＤＳＣＨセルは無効である。したがって、状態に影響するかもしれない新規ＲＲＣメッセージが受信される都度、または必要である場合はいつでも、ＷＴＲＵ４１０が状態変数を評価する。
【００３３】
一実施形態において、トリガー（例えばＲＲＣシグナリング）に基づきキャリアの状態変数を評価するように、ＷＴＲＵ４１０を構成することができる。アンカー・キャリアに対する状態変数がFALSEに設定されている（受信が利用可能でないことを示す）という条件の場合には、二次キャリア（複数可）上での受信も無効であると仮定するように、ＷＴＲＵ４１０を構成することができる。したがって、ＭＡＣエンティティ全体についてリセットを実行するように、ＷＴＲＵ４１０を構成する場合もある。
【００３４】
あるいはまた、アンカー・キャリアに対する状態変数がFALSEに設定されているなら、各二次キャリアに対する状態変数を判定し、それに応じて、選択された二次キャリアに対するＨＡＲＱ処理をリセットするように、ＷＴＲＵ４１０を構成することができる。
【００３５】
図６は、二次セルを無効にするためのプロシージャのフロー図である。ＲＲＣメッセージを受信すると、ＷＴＲＵ４１０は、二次サービングＨＳ−ＤＳＣＨセルの状態を判定する（６０１）。二次セルが有効であるかを示すことができるＲＲＣメッセージ中に含まれる変数を検査することによって、この判定を実行することができる。また、ＲＲＣメッセージが二次ＨＳ−ＤＳＣＨセルに関連する情報を含まないなら、その前のセル状態を検査することができる。前の状態がTRUE（すなわち、二次ＨＳ−ＤＳＣＨサービングセルが有効であったことを示す）であった場合、ＷＴＲＵ４１０は、二次ＨＳ−ＤＳＣＨ情報が含まれないことが、二次ＨＳ−ＤＳＣＨが無効であるということか、または状態が同じままであるということを意味すると判定することができる。
【００３６】
ＷＴＲＵ４１０が、二次サービングＨＳ−ＤＳＣＨセルが無効にされるということと判定した場合、ＷＴＲＵ４１０は状態変数のＳＥＣＯＮＤＡＲＹ＿ＨＳ＿ＤＳＣＨ＿ＲＥＣＥＰＴＩＯＮをFALSEに設定する（６０２）。ＷＴＲＵ４１０は、次に、二次サービングＨＳ−ＤＳＣＨセルに関連するいずれのＨＳ−ＳＣＣＨおよびＨＳ−ＤＳＣＨの受信プロシージャも停止する（ステップ６０３）。変数Ｈ−ＲＮＴＩはクリアされ、二次サービングＨＳ−ＤＳＣＨセルに関連付けられたいずれの格納されたＨ−ＲＮＴＩも除去される（６０４）。ＷＴＲＵ４１０は、次に、二次サービングＨＳ−ＤＳＣＨセルに関連付けられたすべてのＨＡＲＱ処理に対するＨＡＲＱバッファをフラッシュし、二次サービングＨＳ−ＤＳＣＨセルに関連付けられたすべてのＨＡＲＱリソースを解放する（６０５）。
【００３７】
別の方法においては、レイヤー１（L１）の制御信号を介して二次キャリアをアクティブ化／非アクティブ化するように、ＷＴＲＵ４１０を構成することができる。例としては、二次ＨＳ−ＤＳＣＨキャリアを非アクティブ化するためのＬｌ制御信号が、ＨＳ−ＳＣＣＨ命令を介して運ばれる。ＷＴＲＵ４１０は、次に、ＨＳ−ＳＣＣＨ命令において二次サービングＨＳ−ＤＳＣＨセルが非アクティブ化されていることを検出することができる。次に、ＷＴＲＵ４１０は、二次ＨＳ−ＤＳＣＨサービングセルに関連付けられたＨＡＲＱバッファをフラッシュすることができる。
【００３８】
二次下りリンク・キャリアが再アクティブ化（例えばＨＳ−ＳＣＣＨ命令を介して）されると、ＭＡＣレイヤーは、二次ＨＳ−ＤＳＣＨサービングセルに関連付けられた各構成されたＨＡＲＱ処理のために次に受信されたＨＡＲＱ送信を、第１の送信として扱うことができる（すなわち、新規データインジケータービットがリセットされる）。
【００３９】
別の方法においては、一次サービングＨＳ−ＤＳＣＨセルの状態に基づき、二次サービングＨＳ−ＤＳＣＨセルを無効にすることができる。したがって、一次状態変数、例えばＨＳ−ＤＳＣＨ＿ＲＥＣＥＰＴＩＯＮは、ＷＴＲＵ４１０によって監視されうる。変数ＨＳ＿ＤＳＣＨ＿ＲＥＣＥＰＴＩＯＮは、アンカー・キャリア上でのＨＳ−ＤＳＣＨ受信に関連する。それがTRUEのときには、サービングＨＳ−ＤＳＣＨセル上でのＨＳ−ＤＳＣＨ受信を有効とすることができ、それがFALSEであるときには、サービングＨＳ−ＤＳＣＨセル上でのＨＳ−ＤＳＣＨ受信を無効とすることができる。一次状態変数がFALSEを示すとき、ＷＴＲＵ４１０は、一次サービングセルが無効であったことを認識する。そうして、ＷＴＲＵ４１０は、二次サービングＨＳ−ＤＳＣＨセルに対して二次状態変数の状態をFALSEに設定し、上述のように、残りのプロシージャを実行する。この開示された方法に従うと、ＨＳ＿ＤＳＣＨ＿ＲＥＣＥＰＴＩＯＮがFALSEであるときに、ＳＥＣＯＮＤＡＲＹ＿ＣＥＬＬ＿ＨＳ＿ＤＳＣＨ＿ＲＥＣＥＰＴＩＯＮもFALSEとすることができ、その場合におけるＲＲＣは、すべてのＨＳ−ＤＳＣＨリソースを解放し、ＭＡＣ−ｅｈｓ全体をリセットする。
【００４０】
一次状態変数がTRUEであるとき、ＷＴＲＵ４１０は、二次状態変数の状態を判定し、上記で開示され図６において示された方法にしたがって動作する。
【００４１】
ＷＴＲＵ４１０がＣＥＬＬ＿ＤＣＨ状態にあり、およびＦＤＤ（Frequency-Division Duplexing）において動作しているとき、変数ＳＥＣＯＮＤＡＲＹ＿ＣＥＬＬ＿ＨＳ＿ＤＳＣＨ＿ＲＥＣＥＰＴＩＯＮをTRUEに設定することができる。ＷＴＲＵ４１０は、格納されたΔACK、ΔNACK、およびＡＣＫ−ＮＡＣＫ繰り返しファクタを含む、ＩＥ（情報要素）「下りリンク二次セル情報FDD」、ＩＥ「ＨＡＲＱ情報」、ＩＥ「測定フィードバック情報」、およびＩＥ「上りリンクDPCH電力制御情報」を格納している。ＨＳ＿ＤＳＣＨ＿ＲＥＣＥＰＴＩＯＮはTRUEに設定され、変数Ｈ＿ＲＮＴＩ（二次サービングＨＳ−ＤＳＣＨセルに関連付けられる）が設定され、そしてＷＴＲＵ４１０は、格納されたＩＥ「ＨＳ−ＳＣＣＨ情報」（二次サービングＨＳ−ＤＳＣＨセルに関連する）を有する。これらが適合せず、および変数ＳＥＣＯＮＤＡＲＹ＿ＣＥＬＬ＿ＨＳ＿ＤＳＣＨ＿ＲＥＣＥＰＴＩＯＮがTRUEに設定されているという条件にて、ＷＴＲＵ４１０は、例えば、変数ＳＥＣＯＮＤＡＲＹ＿ＣＥＬＬ＿ＨＳ＿ＤＳＣＨ＿ＲＥＣＥＰＴＩＯＮをFALSEに設定することによって、二次サービングセルを無効にする。いずれのＨＳ＿ＳＣＣＨ受信プロシージャも、二次サービングＨＳ−ＤＳＣＨセルに関連するＷＴＲＵ４１０によって停止される。次に、変数Ｈ＿ＲＮＴＩをクリアすることができ、二次サービングＨＳ−ＤＳＣＨセルに関連付けられた格納されたいずれのＨ−ＲＮＴＩも除去される。
【００４２】
変数ＳＥＣＯＮＤＡＲＹ＿ＣＥＬＬ＿ＨＳ＿ＤＳＣＨ＿ＲＥＣＥＰＴＩＯＮがTRUEに設定されたとき、ＷＴＲＵ４１０は、格納されたＨＳ−ＰＤＳＣＨ構成により二次サービングＨＳ−ＤＳＣＨセルに対してＨＳ−ＤＳＣＨ受信プロシージャを実行する。
【００４３】
デュアルセルのＨＳ−ＤＳＰＡ  ３ＧＰＰ  ＷＣＤＭＡネットワークの環境において説明されているが、概念のいくつかは、複数のキャリアによるＨＡＲＱを採用する他の技術にも適用することができる。さらに、本発明は単一の補助セルの文脈において説明されているが、この概念は、複数のセルにも同様に適用することができる。
【００４４】
〔実施形態〕
１．マルチ・セル能力のあるＷＴＲＵにおける無線通信のための方法であって、
二次サービングセルの状態を判定することと、
前記二次サービングセルが無効であると判定されるという条件にて、前記二次サービングセルに関連付けられたＨＡＲＱ処理のＨＡＲＱバッファを選択的にフラッシュすることと
を備えることを特徴とする方法。
【００４５】
２．二次セル状態変数を含むＲＲＣメッセージを受信することであって、前記状態変数は、前記二次サービングセルが有効であるかを示すことをさらに備えることを特徴とする実施形態１に記載の方法。
【００４６】
３．前記状態を判定することは、前記状態変数に基づくことを特徴とする実施形態２に記載の方法。
【００４７】
４．前記二次サービングセルに関連付けられたＨＡＲＱリソースを解放することをさらに備えることを特徴とする実施形態２および３のいずれかに記載の方法。
【００４８】
５．Ｈ−ＲＮＴＩをクリアすることをさらに備えることを特徴とする実施形態１〜４のいずれかに記載の方法。
【００４９】
６．レイヤー１（Ｌ１）シグナリングを含む信号を受信することであって、前記Ｌｌシグナリングは、ＨＳ−ＤＳＣＨキャリアをアクティブ化／非アクティブ化するための指示を含むことをさらに備えることを特徴とする実施形態１に記載の方法。
【００５０】
７．前記Ｌｌシグナリングは、ＨＳ−ＤＳＣＨ命令であることを特徴とする実施形態６に記載の方法。
【００５１】
８．前記状態を前記判定することは、前記Ｌｌシグナリングに基づくことを特徴とする実施形態６および７のいずれかに記載の方法。
【００５２】
９．前記Ｌ１シグナリングは、前記二次サービングセルが非アクティブであることを示すことを特徴とする実施形態８に記載の方法。
【００５３】
１０．二次サービングＨＳ−ＤＳＣＨセル受信の状態を判定するために、受信された第１の変数を読み出すことをさらに備えることを特徴とする実施形態１〜９のいずれかに記載の方法。
【００５４】
１１．前記第１の変数は、前記二次サービングＨＳ−ＤＳＣＨセルがTRUEまたはFALSEに設定されたときに、ＨＳ−ＤＳＣＨ受信に対して、それぞれ有効かまたは無効かを示すことを特徴とする実施形態１０に記載の方法。
【００５５】
１２．ＨＳ−ＤＳＣＨ受信に関連する新規ＲＲＣメッセージが受信されるたびに前記変数が評価されることを特徴とする実施形態１０および１１のいずれかに記載の方法。
【００５６】
１３．デュアルキャリア通信のアンカー・キャリア上にてＨＳ−ＤＳＣＨ受信に関連する第２の変数を受信することをさらに備えることを特徴とする実施形態１０〜１２のいずれかに記載の方法。
【００５７】
１４．前記第２の変数は、前記サービングＨＳ−ＤＳＣＨセルがTRUEまたはFALSEに設定されたときに、ＨＳ−ＤＳＣＨ受信に対して、それぞれ有効かまたは無効かを示すことを特徴とする実施形態１３に記載の方法。
【００５８】
１５．前記第２の変数はFALSEであり、前記第１の変数はFALSEであるとき、前記ＲＲＣは、すべての前記ＨＳ−ＤＳＣＨリソースを解放すること、およびＨＳ−ＤＳＣＨ  ＭＡＣ−ｅｈｓエンティティをリセットすることをさらに備えることを特徴とする実施形態１４に記載の方法。
【００５９】
１６．前記第２の変数がFALSEであると、前記二次セルに関連するいずれのＨＳ−ＳＣＣＨ受信プロシージャも停止することをさらに備えることを特徴とする実施形態１３〜１５のいずれかに記載の方法。
【００６０】
１７．前記二次セルに関連するいずれのＨＳ−ＤＳＣＨ受信プロシージャも停止することをさらに備えることを特徴とする実施形態１６に記載の方法。
【００６１】
１８．実施形態１〜１７のいずれかに記載の方法を実施するように構成されることを特徴とするＷＴＲＵ。
【００６２】
１９．実施形態１〜１７のいずれかに記載の方法を実施するように構成されることを特徴とする処理装置。
【００６３】
２０．実施形態１〜１７のいずれかに記載の方法を実施するように構成されることを特徴とする基地局。
【００６４】
特徴および要素が特定の組み合わせにて上述されているが、それぞれの特徴または要素は、他の特徴および要素なしで単独にて、または他の特徴および要素の有無にかかわらず様々な組み合わせにて使用することができる。本明細書で提供される方法またはフロー図は、汎用コンピューターまたは処理装置による実行のための、コンピューターにて読み取り可能な記憶媒体に組み込まれたコンピューター・プログラム、ソフトウェア、またはファームウェアにて実施することができる。コンピューターにて読み取り可能な記憶装置媒体の例としては、ＲＯＭ（Read Only Memory）、ＲＡＭ（Random Access Memory）、レジスター、キャッシュ・メモリ、半導体メモリ・デバイス、内蔵ハード・ディスクおよび着脱可能ディスクなどの磁気媒体、光磁気媒体、ならびにＣＤ−ＲＯＭディスクおよびＤＶＤ（Digital Versatile Disk）などの光学媒体が含まれる。
【００６５】
適当な処理装置の例としては、汎用処理装置、専用処理装置、従来の処理装置、ＤＳＰ（Digital Signal Processor）、複数のマイクロ処理装置、ＤＳＰコアに関連付けられた１または２以上のマイクロ処理装置、制御装置、マイクロ制御装置、ＡＳＩＣ（Application Specific Integrated Circuit）、ＦＰＧＡ（Field Programmable Gate Array）回路、他のいずれかの種別の集積回路、および／または状態マシンが含まれる。
【００６６】
ＷＴＲＵ、ユーザー機器、端末、基地局、ＲＮＣ（radio network controller）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、Ｂｌｕｅｔｏｏｔｈ（登録商標）モジュール、ＦＭ（Frequency Modulated）無線ユニット、ＬＣＤ（Liquid Crystal Display）表示ユニット、ＯＬＥＤ（Organic Light-Emitting Diode）表示ユニット、デジタル音楽プレーヤー、メディア・プレーヤー、テレビゲーム・プレーヤー・モジュール、インターネット・ブラウザー、および／または任意のＷＬＡＮ（Wireless Local Area Network）モジュールもしくはＵＷＢ（Ultra Wide Band）モジュールなどのモジュールと連動して使用することができる。
【図１】
0005401554.tif 000002
【図２】
0005401554.tif 000003
【図３】
0005401554.tif 000004
【図４】
0005401554.tif 000005
【図５】
0005401554.tif 000006
【図６】
0005401554.tif 000007